(57)【要約】【課題】小形化、軽量化が可能な複合コンデンサを提供する。【解決手段】ケース１０は、各コンデンサ素子１、２を収納する一端閉鎖筒状の複数の素子収納部１１、１２と、複数の素子収納部１１、１２に連設された基台部１３とを有する。基台部１３には、素子収納部１１、１２の開口部の周囲に、充填樹脂の流入可能な凹陥部２３を設けた。また、モータの始動用コンデンサ素子１においては、素子収納部１１の閉鎖側に配置された端面電極４に接続したリード線を巻芯を通して開口部から導出する。巻芯内部にヒューズ８を介設する。モータの運転用コンデンサ素子２においては、素子収納部１２の閉鎖側に配置された端面電極５に接続したリード線を巻芯を通して開口部から導出する。各コンデンサ素子１、２の開口部側の端面電極６、７を共通接続した。【選択図】図１
2005150576.tif 000002
【特許請求の範囲】
【請求項１】
複数の金属化フィルムコンデンサ素子（１）（２）をケース（１０）に収納し樹脂を充填した複合コンデンサにおいて、上記ケース（１０）は、各コンデンサ素子（１）（２）を収納する一端閉鎖筒状の複数の素子収納部（１１）（１２）と、複数の素子収納部（１１）（１２）に連設された基台部（１３）とを有し、上記基台部（１３）には、上記素子収納部（１１）（１２）の開口部の周囲に、充填樹脂の流入可能な凹陥部（２３）を設けたことを特徴とする複合コンデンサ。
【請求項２】
上記基台部（１３）は、上記筒状の素子収納部（１１）（１２）の中途部に連設される連設部（１４）と、上記連設部（１４）の周囲に設けられた側縁部（１５）とを有し、上記素子収納部（１１）（１２）の開口端部が上記側縁部（１５）の外端部よりもケース内方に位置するよう構成したことを特徴とする請求項１の複合コンデンサ。
【請求項３】
上記金属化フィルムコンデンサ素子（１）は巻回形であり、このコンデンサ素子（１）の巻芯内にヒューズ（８）を具備したことを特徴とする請求項１又は請求項２の複合コンデンサ。
【請求項４】
一組の巻回形の金属化フィルムコンデンサ素子（１）（２）を有し、モータの始動用コンデンサ素子（１）においては、素子収納部（１１）の閉鎖側に配置された端面電極（４）に接続したリード線を巻芯を通して開口部から導出すると共に、巻芯内部においてヒューズ（８）を介設し、モータの運転用コンデンサ素子（２）においては、素子収納部（１２）の閉鎖側に配置された端面電極（５）に接続したリード線を巻芯を通して開口部から導出し、さらに各コンデンサ素子（１）（２）の開口部側の端面電極（６）（７）を共通接続したことを特徴とする請求項１又は請求項２の複合コンデンサ。
【請求項５】
モータの始動用コンデンサ素子として第１の金属化フィルムコンデンサ素子（１）を用い、モータの運転用コンデンサ素子として第２の金属化フィルムコンデンサ素子（２）を用いるとともに、第１、第２の金属化フィルムコンデンサ素子（１）（２）のそれぞれの一方端面電極（６）（７）がケース開口側に位置するよう並設してケース（１０）に収納し、樹脂を充填したことを特徴とする複合コンデンサ。
【発明の詳細な説明】
【技術分野】
【０００１】
この発明は、複数のコンデンサ素子をケースに収納し樹脂を充填した複合コンデンサに関するものである。
【背景技術】
【０００２】
機器用コンデンサとしては、例えば、洗濯機や自販機等に用いられているモータ用コンデンサがある。特許文献１には、洗濯機のモータ駆動のために、始動用コンデンサと運転用コンデンサとを用いることが記載されている。従来、モータの始動用コンデンサとしては電解コンデンサが用いられ、また運転用コンデンサとしてはフィルムコンデンサが用いられている。
【特許文献１】特開平６−１３４１７２号公報
【発明の開示】
【発明が解決しようとする課題】
【０００３】
しかしながら、上記始動用コンデンサと運転用コンデンサとは別々のコンデンサであるため、コンデンサの取り付けスペースがそれぞれに必要である。従って、始動用コンデンサ及び運転用コンデンサを含めた全体としての複合コンデンサの小形化が困難である。
【０００４】
この発明は、上記従来の欠点を解決するためになされたものであって、その目的は、小形化、軽量化が可能な複合コンデンサを提供することにある。
【課題を解決するための手段】
【０００５】
そこで請求項１の複合コンデンサは、複数の金属化フィルムコンデンサ素子１、２をケース１０に収納し樹脂を充填した複合コンデンサにおいて、上記ケース１０は、各コンデンサ素子１、２を収納する一端閉鎖筒状の複数の素子収納部１１、１２と、複数の素子収納部１１、１２に連設された基台部１３とを有し、上記基台部１３には、上記素子収納部１１、１２の開口部の周囲に、充填樹脂の流入可能な凹陥部２３を設けたことを特徴としている。
【０００６】
請求項２の複合コンデンサは、上記基台部１３は、上記筒状の素子収納部１１、１２の中途部に連設される連設部１４と、上記連設部１４の周囲に設けられた側縁部１５とを有し、上記素子収納部１１、１２の開口端部が上記側縁部１５の外端部よりもケース内方に位置するよう構成したことを特徴としている。
【０００７】
請求項３の複合コンデンサは、上記金属化フィルムコンデンサ素子１、２は巻回形であり、このコンデンサ素子１、２の巻芯内にヒューズ８を具備したことを特徴としている。
【０００８】
請求項４の複合コンデンサは、一組の巻回形の金属化フィルムコンデンサ素子１、２を有し、モータの始動用コンデンサ素子１においては、素子収納部１１の閉鎖側に配置された端面電極４に接続したリード線を巻芯を通して開口部から導出すると共に、巻芯内部においてヒューズ８を介設し、モータの運転用コンデンサ素子２においては、素子収納部１２の閉鎖側に配置された端面電極５に接続したリード線を巻芯を通して開口部から導出し、さらに各コンデンサ素子１、２の開口部側の端面電極６、７を共通接続したことを特徴としている。
【０００９】
請求項５の複合コンデンサは、モータの始動用コンデンサ素子として第１の金属化フィルムコンデンサ素子１を用い、モータの運転用コンデンサ素子として第２の金属化フィルムコンデンサ素子２を用いるとともに、第１、第２の金属化フィルムコンデンサ素子１、２のそれぞれの一方端面電極６、７がケース開口側に位置するよう並設してケース１０に収納し、樹脂を充填したことを特徴としている。
【発明の効果】
【００１０】
請求項１の複合コンデンサによれば、複数のコンデンサ素子を同じケースに収納して一体化したので、コンデンサの小形化、軽量化ができる。また、樹脂充填時には、凹陥部により樹脂のオーバーフロー分を受けることができ、ケースから樹脂が洩れ出るのを防止できる。従って、充填作業が容易に行え、また樹脂漏れを防止できることから、製品の外観を向上できる。
【００１１】
請求項２の複合コンデンサによれば、素子収納部の開口端部が基台部の側縁部の外端部よりもケース内方に位置するよう構成したので、ケースから樹脂が洩れ出るのを一段と確実に防止でき、樹脂充填作業の容易化、製品の外観向上を確実に実現できる。
【００１２】
請求項３の複合コンデンサによれば、コンデンサ素子の巻芯内に温度ヒューズを内蔵したので、ケース内のコンデンサ素子の設置スペース以外のスペースに、ヒューズを配置する別のスペースを設けなくてよく、ケースの小形化が可能である。
【００１３】
請求項４の複合コンデンサによれば、始動用のコンデンサ素子と運転用のコンデンサ素子とを金属化フィルムコンデンサ素子で構成し、同じケースに収納して一体化したので、コンデンサの小形化、軽量化ができる。また、コンデンサ素子の巻芯内に温度ヒューズを内蔵したので、ケース内のコンデンサ素子の設置スペース以外のスペースに、ヒューズを配置する別のスペースを設けなくてよく、ケースの小形化が可能である。しかも上記複合コンデンサでは、コンデンサ素子の一方の端面電極がケースの開口側に位置するようにケースに収納するため、コンデンサ素子が丸形の巻回コンデンサの場合、ケースのうち素子収納部をコンデンサ形状に沿う形にすることができ、ケースをさらに小形にできる。
【００１４】
請求項５の複合コンデンサによれば、始動用のコンデンサ素子と運転用のコンデンサ素子とを第１、及び第２金属化フィルムコンデンサ素子で構成し、同じケースに収納して一体化したので、コンデンサの小形化、軽量化ができる。また、上記複合コンデンサでは、コンデンサ素子の一方の端面電極がケースの開口側に位置するようにケースに収納するため、コンデンサ素子が丸形の巻回コンデンサの場合、ケースのうち素子収納部をコンデンサ形状に沿う形にすることができ、ケースを小形にできる。
【発明を実施するための最良の形態】
【００１５】
次に、この発明の複合コンデンサの具体的な実施の形態について、図面を参照しつつ詳細に説明する。図１〜図３は、２つの金属化フィルムコンデンサ素子１、２がケース１０内に収納された複合コンデンサの外観であり、図１は正面図、図２は側面図、図３は平面図である。この複合コンデンサは、第１コンデンサ素子１を収納する第１素子収納部１１と、第２コンデンサ素子２を収納する第２素子収納部１２とを有し、各素子収納部１１、１２の下部は、基台部１３によって連設されている。上記素子収納部１１、１２は、頂部（一端部）が閉鎖された円筒状のものである。上記基台部１３は、上記各素子収納部１１、１２に連設されると共に、下方に開口した概略箱形の形状となされている。さらに具体的に説明すると、上記各素子収納部１１、１２に連設される連設部１４と、連設部１４の周囲を取り囲むように（図４参照）、かつ図１、図２において下方に延びるように設けられた側縁部１５と、側縁部１５の外側に連設された左右一対の取付部１６とを有している。この場合、連設部１４は、円筒形の素子収納部１１、１２の中途部に連設されており、各素子収納部１１、１２の開口部１７、１８は、側縁部１５の外端面よりも基台部１３の内側に位置している（図５参照）。また、側縁部１５の一部が切り欠かれ、リード線引出し孔１９が形成されており、この孔１９より、コンデンサに接続されたリード線２０が外部に引き出される（図２参照）。
【００１６】
図４は、ケース１０を開口部側（底面側）からみた図である。素子収納部１１、１２は、コンデンサ素子１、２の形状に沿う円筒状の壁部２１を有し、素子収納部１１、１２の底部（図１〜図３においては頂部）には突起２２を設け、コンデンサ素子１、２を収納した際に、コンデンサ素子１、２の端面と素子収納部１１、１２の底面との間に隙間を形成し、充填する樹脂が隙間に行き渡るよう構成している。図４及び図５に示すように、各素子収納部１１、１２の周囲及び第１素子収納部１１と第２収納部１２との間には凹陥部２３が設けられている。すなわち、上記素子収納部１１、１２の円筒状の壁部２１と上記基台部１３の側縁部１５とによって囲まれる部分が、上記基台部１３の連設部１４を底面とする凹陥部として形成されているのである。凹陥部２３は、素子収納部１１、１２とは壁部２１で仕切られている。壁部２１の外端部２１ａは、図５（図４のＤ−Ｄ断面の一部）に示すように、基台部１３の側縁部１５の端部よりもケース内方に位置する。凹陥部２３は、素子収納部１１、１２の充填樹脂（エポキシ樹脂）の膨張によるオーバーフロー分を受けるためのものである。
【００１７】
上記素子収納部１１、１２には、それぞれ巻回形の保安機構付き金属化フィルムコンデンサ素子１、２が収納される。モータの始動用及び運転用コンデンサでは、始動用の第１コンデンサ素子１と運転用の第２コンデンサ素子２とが、図６に示すように結線され収納される。コンデンサの定格は、例えば第１テンデンサ素子１が１６０ＶＡＣ、１５０μＦ、第２コンデンサ素子２が２００ＶＡＣ、４０μＦである。始動用コンデンサ素子１の一方端面電極４は、温度ヒューズ８を介して端子Ｔ１に接続される。上記ケース１０に収納する場合、図７に示すように、第１コンデンサ素子１の巻芯内に温度ヒューズ８を内蔵し、端子Ｔ１のリード線を取り出す。端子Ｔ２のリード線は第２コンデンサ素子２の一方端面電極５から巻芯内を通し取り出す。端子Ｔ３のリード線は、第１、及び第２コンデンサ素子１、２の他方のケース開口側の端面電極６、７を共通接続して取り出す。各リード線は、図２に示すように保護チュ−ブで覆ってリード線２０として引き出される。このように接続されたコンデンサＣ１、Ｃ２を、それぞれの一方の端面電極６、７がケース開口側になるように、各素子収納部１１、１２に収納する。素子収納部１１、１２及び凹陥部２３に樹脂が充填される。
【００１８】
上記複合コンデンサでは、始動用の第１コンデンサ素子１と運転用の第２コンデンサ素子２とを金属化フィルムコンデンサ素子で構成し、同じケース１０に収納して一体化したので、コンデンサの小形化、軽量化ができる。また、樹脂充填時には、凹陥部２３により樹脂のオーバーフロー分を受けることができ、ケースから樹脂が洩れ出るのを防止できる。従って、充填作業が容易に行え、また樹脂漏れを防止できることから、製品の外観を向上できる。さらに、第１コンデンサ素子１の巻芯内に温度ヒューズ８を内蔵したので、ケース１０内のコンデンサ素子１の設置スペース以外のスペースに、ヒューズ８を配置する別のスペースを設けなくてよく、ケース１０の小形化が可能である。しかも上記複合コンデンサでは、コンデンサ素子１、２の一方の端面電極６、７がケース１０の開口側に位置するようにケース１０に収納するため、コンデンサ素子１、２が丸形の巻回コンデンサの場合、ケース１０のうち素子収納部分１１、１２をコンデンサ形状に沿う形にすることができ、ケース１０を小形にできる。
【００１９】
以上にこの発明の具体的な実施の形態について説明したが、この発明は上記形態に限定されるものではなく、この発明の範囲内で種々変更して実施することができる。例えば、金属化フィルムコンデンサの保安機構は、金属蒸着フィルムを絶縁溝で多数の小電極に区切る公知の種々のパターンが適用できる。また、リード線２０の接続の仕方は、図７のものに限らない。さらに、リード線２０は、その先端を圧着端子にしてもよく、また、外部接続用コネクタを接続してコネクタ付きの複合コンデンサとしてもよい。また、この発明は、巻回形複合コンデンサに適用するのが特に好ましいが、積層形複合コンデンサにも適用できる。
【図面の簡単な説明】
【００２０】
【図１】この発明の複合コンデンサの実施形態を示す外観の正面図である。
【図２】上記複合コンデンサの実施形態の側面図である。
【図３】上記複合コンデンサの実施形態の平面図である。
【図４】上記複合コンデンサの実施形態の底面図である。
【図５】図４のＤ−Ｄ断面である。
【図６】上記複合コンデンサの実施形態の回路図である。
【図７】上記複合コンデンサの実施形態の結線状態を示す模式図である。
【符号の説明】
【００２１】
１・・コンデンサ素子、２・・コンデンサ素子、４・・端面電極、５・・端面電極、６・・端面電極、７・・端面電極、８・・温度ヒューズ、１０・・ケース、１１・・素子収納部、１２・・素子収納部、１３・・基台部、１４・・連設部、１５・・側縁部、２３・・凹陥部
【図１】
2005150576.tif 000003
【図２】
2005150576.tif 000004
【図３】
2005150576.tif 000005
【図４】
2005150576.tif 000006
【図５】
2005150576.tif 000007
【図６】
2005150576.tif 000008
【図７】
2005150576.tif 000009